(57)【要約】  端末から受信された小型基地局の登録リクエストに応じて、前記端末がクローズドスクライバグループ（ＣＳＧ）メンバーであるか否かを確認する確認部と、前記確認の結果、前記端末がＣＳＧメンバーではないと確認された場合に前記小型基地局のオーナー端末を捜す検索部と、見つかったオーナー端末に対して前記端末のＣＳＧメンバー登録を承認するか否かの決定をリクエストするリクエスト部と、前記リクエストに応じてオーナー端末がＣＳＧメンバー登録を承認した場合、前記端末を臨時ＣＳＧメンバーとして登録する登録部とを含む端末登録システムが、提供される。【選択図】      図２
2013500670.tif 000002
【特許請求の範囲】
【請求項１】
端末から小型基地局への登録リクエストに応じて、前記端末がクローズドサブスクライバーグループ（ＣＳＧ）メンバーであるか否かを決定する確認部と、
前記端末がＣＳＧメンバーではない場合、前記小型基地局のオーナー端末を捜す検索部と、
前記オーナー端末に対して前記端末の登録要求を承認するか否かの決定をリクエストするリクエスト部と、
前記オーナー端末が前記登録リクエストを承認する場合に前記端末を臨時ＣＳＧメンバーとして登録する登録部と、
を備える端末を登録するシステム。
【請求項２】
小型基地局に登録されたメンバー端末のメンバーリストを格納するメンバーデータベースと、
前記小型基地局に登録された臨時メンバーの臨時メンバーリストを格納する臨時メンバーデータベースと
をさらに備え、
前記確認部は、前記メンバーデータベースを参照することにより、前記端末が前記メンバーリストに含まれているか否かを決定し、前記端末が前記メンバーリストに含まれていない場合には、前記臨時メンバーリストを参照することにより、前記端末が前記臨時メンバーリストに含まれているか否かを決定し、前記端末が前記臨時メンバーリストに含まれていない場合には、前記端末が前記ＣＳＧメンバーではないこと確認する請求項１のシステム。
【請求項３】
前記リクエスト部は、前記オーナー端末へ前記端末に関する情報を送信し、前記送信された情報に基づく前記端末の登録リクエストを承認するか否かの決定を、前記オーナー端末から受信する請求項１のシステム。
【請求項４】
前記端末に関する情報は、登録リクエストの回数、識別番号、及び位置情報のうち少なくとも１つからなり、
前記リクエスト部は、前記オーナー端末から、前記登録リクエストの回数、前記識別番号、及び前記位置情報のうち少なくとも１つに基づいて前記端末の登録リクエストを承認するか否かの決定を受信する請求項３のシステム。
【請求項５】
前記端末に対応する有効時間及び優先順位を決定する決定部と、
前記端末に対応する有効時間及び優先順位を格納する臨時メンバーデータベースと、
前記端末に対して、前記端末が臨時ＣＳＧメンバーと登録されたことを通知し、前記有効時間及び前記優先順位を前記端末へ送信する送信部と、
をさらに備える請求項１のシステム。
【請求項６】
前記決定部は、前記端末についての登録リクエストの回数に基づいて前記優先順位を決定し、前記優先順位に基づいて前記有効時間を決定する請求項５のシステム。
【請求項７】
小型基地局に登録されたメンバー端末のメンバーリストを格納するメンバーデータベースをさらに備え、
前記検索部は、前記オーナー端末が見つからなかった場合、前記メンバーデータベースから臨時オーナー端末を探し、
前記リクエスト部は、前記臨時オーナー端末に対して前記端末の前記ＣＳＧメンバー登録のリクエストを承認するか否かの決定をリクエストし、
前記登録部は、前記臨時オーナー端末が前記端末の登録リクエストを承認した場合、前記端末を臨時ＣＳＧメンバーとして登録する請求項１のシステム。
【請求項８】
前記オーナー端末が登録リクエストを拒絶した場合に、前記端末へ登録拒絶メッセージを送信する送信部をさらに備える請求項１のシステム。
【請求項９】
端末から小型基地局への登録リクエストに応じて前記端末がクローズドサブスクライバーグループ（ＣＳＧ）メンバーであるかを決定し、
前記端末がＣＳＧメンバーではない場合に前記小型基地局のオーナー端末を探し、
前記オーナー端末に対して、前記端末のＣＳＧメンバー登録を承認するか否かの決定をリクエストし、
前記オーナー端末が前記登録リクエストを承認した場合、前記端末を臨時ＣＳＧメンバーとして登録することを含む端末の登録方法。
【請求項１０】
小型基地局に登録されたメンバー端末のメンバーリストをメンバーデータベースに格納し、
前記小型基地局に登録された臨時メンバーの臨時メンバーリストを臨時メンバーデータベースに格納すること、
をさらに含み、
前記端末がＣＳＧメンバーであるかを確認することは、
前記メンバーデータベースを参照することにより、前記端末が前記メンバーリストに含まれているか否かを決定し、
前記端末が前記メンバーリストに含まれていない場合には、前記臨時メンバーリストを参照することにより、前記端末が前記臨時メンバーリストに含まれているか否かを決定することを含む請求項９の方法。
【請求項１１】
前記オーナー端末に対して、前記登録リクエストを承認するか否かの決定を要求することは、
前記オーナー端末に前記端末に関する情報を送信し、
前記送信された情報に基づく前記端末の登録リクエストを承認するか否かの決定を前記オーナー端末から受信することを更に含むことを特徴とする請求項９の方法。
【請求項１２】
前記端末に関する情報は、登録リクエストの回数、識別番号、及び位置情報のうち少なくとも１つを含み、
前記オーナー端末に対して前記端末のＣＳＧメンバー登録を承認するか否かの決定をリクエストすることは、前記オーナー端末から、前記登録リクエストの回数、前記識別番号、及び前記位置情報のうち少なくとも１つに基づいて前記端末のＣＳＧメンバー登録を承認するか否かの決定を受信することを更に含む請求項１１の方法。
【請求項１３】
前記端末を臨時ＣＳＧメンバーに登録することは、
前記端末に対応する有効時間及び優先順位を決定し、
前記有効時間及び優先順位を前記端末に対応した臨時メンバーデータベースに格納し、
前記端末に当該端末が臨時ＣＳＧメンバーとして登録されたことを通知し、前記有効時間及び前記優先順位を前記端末へ送信することを含む請求項９の方法。
【請求項１４】
有効時間及び優先順位を決定することは、
前記端末についての登録リクエストの回数に基づいて前記優先順位を決定し、
前記優先順位に基づいて前記有効時間を決定することを含むことを特徴とする請求項１３の方法。
【請求項１５】
小型基地局に登録されたメンバー端末のメンバーリストをメンバーデータベースに格納し、
前記オーナー端末が見つからない場合、前記メンバーデータベースから臨時オーナー端末を探し、
前記臨時オーナー端末に対して、前記端末の登録リクエストを承認するか否かの決定をリクエストし、
前記臨時オーナー端末が前記登録リクエストを承認した場合、前記端末を前記臨時ＣＳＧメンバーとして登録することをさらに含む請求項９の方法。
【請求項１６】
前記オーナー端末が前記登録リクエストを拒絶した場合、前記端末に登録拒絶メッセージを送信することをさらに含む請求項９の方法。
【発明の詳細な説明】
【技術分野】
【０００１】
本発明の実施形態は、小型基地局網のオーナー端末による端末登録方法及びシステムに関する。
【背景技術】
【０００２】
移動通信の発達によって、多くの消費者が携帯端末機（以下、「端末」と称する）を用いているが、各基地局によってカバーされるエリア（セル）が広いため、頻繁に通話品質が低下する問題がある。このような通話品質の低下を防止するために、既存の移動通信のサービス半径よりも遥かに小さい地域をカバーするフェムトセルというシステムが、開発された。フェムトセルは、ユーザが超小型基地局を家庭内の有線ＩＰ網に接続することにより、ユーザが端末を用いる有線通信及び無線通信を容易に利用できるようにする。
【０００３】
フェムトセルは、「Ｈｏｍｅ  Ｎｏｎｅ  Ｂ（以下、「Ｈ（ｅ）ＮＢ」という）とも称される。Ｈ（ｅ）ＮＢは、Ｈ（ｅ）ＮＢを用いる端末に対して、カバーされる地域の拡大をもたらし得るとともに、特別なサービスを提供し得る。しかし、現在の標準では、クローズドサブスクライバーグループ（Closed Subscriber Group：ＣＳＧ）のメンバーではない特定端末を臨時ＣＳＧメンバーに追加するためには、オーナー端末がメンバー管理サーバにアクセスして上記特定端末を臨時ＣＳＧメンバーに登録する。
【０００４】
図１は、従来技術に従って臨時ＣＳＧメンバーを登録するシステムを示す図である。
【０００５】
図示するように、ＣＳＧメンバーではない端末（Ａ）は、メンバー管理サーバ（Ｂ）に、臨時ＣＳＧメンバー登録をリクエストする。メンバー管理サーバ（Ｂ）は、前記リクエストを、Microsoft Mobile Explorer／Mobile Switching  Center／Service GPRS Support Node（ＭＭＥ／ＭＳＣ／ＳＧＳＮ）Ｃに伝える。ＭＭＥ／ＭＳＣ／ＳＧＳＮ（Ｃ）は、端末（Ａ）を臨時ＣＳＧメンバーに登録するかどうかを判断した後、メンバー管理サーバ（Ｂ）に判断結果を通知する。ここで、ＭＭＥ／ＭＳＣ／ＳＧＳＮ（Ｃ）が端末（Ａ）を臨時ＣＳＧメンバーとして登録することを承認した場合、オーナー端末は、メンバー管理サーバ（Ｂ）を介して端末（Ａ）をＭＭＥ／ＭＳＣ／ＳＧＳＮ（Ｃ）に登録する。
【０００６】
すなわち、このような従来技術においては、臨時ＣＳＧメンバーリストを管理するためにＨ（ｅ）ＮＢにサーバ機能が追加されなければならない。上記オペレーションのために、ウェブ又は他の方式を通じて、ユーザにインタフェースが提供されなければならない。
【０００７】
したがって、臨時ＣＳＧメンバーではない端末を容易に臨時ＣＳＧ）のメンバーとして登録できる方法が、求められている。
【発明の概要】
【発明が解決しようとする課題】
【０００８】
本発明の一態様は、オーナー端末を通じて、クローズドサブスクライバーグループ（Closed Subscriber Group：ＣＳＧ）のメンバーではない端末を、臨時のＣＳＧメンバーとして、ＣＳＧセルとして機能する小型基地局に登録することができる端末登録方法及びシステムを、提供する。
【０００９】
本発明の一態様は、オーナー端末のシステムに対する直接的なアクセスによってではなく、臨時ＣＳＧ端末として登録されることがオーナー端末によって加入者網を通じてリクエストされた端末を、臨時ＣＳＧメンバーとして登録し得る端末登録方法及びシステムを、提供する。
【課題を解決するための手段】
【００１０】
本発明の一態様によると、端末から受信された小型基地局に対する登録リクエストに応じて前記端末がクローズドサブスクライバーグループ（Closed Subscriber Group：ＣＳＧ）のメンバーであるかどうかを確認する確認部と、前記確認の結果として前記端末がＣＳＧメンバーではないと確認された場合に前記小型基地局のオーナー端末を探す探索部と、見つかったオーナー端末に対して前記端末のＣＳＧメンバーとしての登録を承認するかどうかを決定する様要求するリクエスト部と、前記要求に応じて前記オーナー端末が前記端末のＣＳＧメンバーとしての登録を承認した場合に前記端末を臨時ＣＳＧメンバーとして登録する登録部とを含む端末登録システムが、提供される。
【００１１】
本発明の一態様によると、端末から受信された小型基地局に対する登録リクエストに応じて前記端末がクローズドサブスクライバーグループ（Closed Subscriber Group：ＣＳＧ）のメンバーであるかどうかを確認し、前記確認の結果として前記端末がＣＳＧメンバーではないと確認された場合に前記小型基地局のオーナー端末を探し、見つかったオーナー端末に対して前記端末のＣＳＧメンバーとしての登録を承認するかどうかを決定する様要求し、前記要求に応じて前記オーナー端末が前記端末のＣＳＧメンバーとしての登録を承認した場合に前記端末を臨時ＣＳＧメンバーとして登録することを含む端末登録方法が、提供される。
【発明の効果】
【００１２】
本発明の態様によれば、ＣＳＧセルとして動作する小型基地局において、オーナー端末を通じて、臨時ＣＳＧメンバーではない端末を臨時ＣＳＧメンバーとして登録することが、可能である。それ故、ユーザ便宜性を増大させることが可能である。
【００１３】
また、本発明の態様によれば、小型基地局に機能を追加することなく、オーナー端末の方針に応じて臨時ＣＳＧメンバーを追加することができる。それ故、ＣＳＧセルにおける小型基地局の使用を増大させることができる。
【図面の簡単な説明】
【００１４】
【図１】従来技術による臨時のクローズドサブスクライバーグループ（Closed Subscriber Group：ＣＳＧ）メンバーの登録システムを示す図である。
【図２】本発明の一実施形態による端末登録システムと端末との間のネットワーク接続関係を示す図である。
【図３】本発明の一実施形態による端末登録システムの構成を示すブロック図である。
【図４】本発明の一実施形態による端末登録システムに含まれた臨時メンバーデータベースの一例を示す図である。
【図５】本発明の一実施形態による端末登録方法を示すフローチャートである。
【発明を実施するための形態】
【００１５】
ここに、本発明の実施形態についての言及が詳細になされ、その例が添付図面に描かれる。各参照図面を通じて、同様の参照番号が同様の要素に付される。実施形態は、図面を参照することにより、本発明を説明するために後述される。「Ｘ，Ｙ，Ｚのうちの少なくとも一つ」との記述は、Ｘのみ，Ｙのみ，Ｚのみ，又は、Ｘ，Ｙ，Ｚのうちの何れか二つ以上の組み合わせ（即ち、ＸＹＺ，ＸＹＹ，ＹＺ，ＺＺ）を意味するように、解釈される。  ここに使用される「端末」なる言葉は、例えば、ノート型パソコン（ｎｏｔｅｂｏｏｋ  ｃｏｍｐｕｔｅｒ）、携帯電話、ＰＣＳ（Ｐｅｒｓｏｎａｌ  Ｃｏｍｍｕｎｉｃａｔｉｏｎ  Ｓｅｒｖｉｃｅ）フォン、衛星／地上波ＤＭＢ（Ｄｉｇｉｔａｌ  Ｍｕｌｔｉｍｅｄｉａ  Ｂｒｏａｄｃａｓｔｉｎｇ）フォン、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＭＰ３プレーヤなど、移動性のある全ての装置を指す。
【００１６】
図２は、本発明の一実施形態に係る端末登録システムと端末との間のネットワークの接続関係を示す図である。
【００１７】
図２に示すように、端末２１０は、端末登録システム２００に小型基地局の登録をリクエストする。前記小型基地局は、「ホームノードＢ（Ｈｏｍｅ  Ｎｏｎｅ  Ｂ）」とも称される。すなわち、たとえ端末２１０は現在の小型基地局に属しないとしても、端末２１０は、小型基地局にアクセスして、特別な移動通信システムのサービスを利用するために、端末登録システム２００に対して臨時のクローズドサブスクライバーグループ（Closed Subscriber Group：ＣＳＧ）メンバーとしての登録をリクエストする。
【００１８】
端末登録システム２００は、前記登録リクエストをした端末２１０がＣＳＧメンバーであるかを確認する。ＣＳＧは、小型基地局に登録された特定の端末グループのみを、小型基地局にアクセスできるように制御する。端末登録システム２００は、端末２１０がＣＳＧメンバーであるかを確認するために、ホーム位置登録器／ホーム加入者サーバ（ＨＬＲ：Ｈｏｍｅ  Ｌｏｃａｔｉｏｎ  Ｒｅｇｉｓｔｅｒ／ＨＳＳ：Ｈｏｍｅ  Ｓｕｂｓｃｒｉｂｅｒ  Ｓｅｒｖｅｒ）２３０を通じて、臨時メンバーデータベース２６０を検索する。端末登録システム２００は、臨時メンバーデータベース２６０内に端末２１０に対応する端末が見つけられなかった場合、メンバーデータベース２５０を検索する。もし、メンバーデータベース２５０内に端末２１０に対応する端末が見つけられなかった場合、端末登録システム２００は、端末２１０がＣＳＧメンバーではないと判断する。
【００１９】
この場合、端末登録システム２００は、ＨＬＲ／ＨＳＳ２３０を通じて、オーナーデータベース２４０を検索してオーナー端末２２０を探し、検索されたオーナー端末２２０に対して、端末２１０のＣＳＧメンバー登録を承認するかどうかの決定をリクエストする。ここで、端末登録システム２００は、オーナー端末２２０へ端末２１０に関する情報を送信してもよい。端末２１０に関する情報は、登録リクエスト回数、識別番号（ＩＤ）、及び位置情報を含んでもよい。
【００２０】
オーナー端末２２０は、端末２１０に関する情報に基づいて、端末２１０を臨時ＣＳＧメンバーとして登録するか否かを決定する。オーナー端末２２０が端末２１０を臨時ＣＳＧメンバーとして登録することを承認した場合、オーナー端末２２０は、端末登録システム２００に、端末２１０を臨時ＣＳＧメンバーとして承認したことを通知する。
【００２１】
オーナー端末２２０が端末２１０の臨時ＣＳＧメンバーとしての登録を承認した場合、端末登録システム２００は、端末２１０を臨時ＣＧＳメンバーに登録する。例えば、端末登録システム２００は、端末２１０を臨時メンバーデータベース２６０に登録し、端末２１０へ、当該端末２１０が臨時ＣＳＧメンバーとして登録されたことを通知する登録完了メッセージを送信する。これに対して、オーナー端末２２０が端末２１０をＣＳＧメンバーとして登録することを拒絶された場合、端末登録システム２００は、端末２１０へ、登録拒絶メッセージを送信する。
【００２２】
実施形態によると、端末登録システム２００は、端末２１０に対する有効時間及び優先順位を決定し、前記決定された有効時間及び優先順位を当該端末２１０に関連付けて臨時メンバーデータベース２６０に格納する。さらに、端末登録システム２００は、端末２１０に対して、当該端末２１０が臨時ＣＳＧメンバーとして登録されたことを通知すると同時に、前記有効時間及び前記優先順位を送信する。この場合、端末２１０は、前記有効時間の間だけ、上記小型基地局によって臨時ＣＳＧメンバーとして認定される。
【００２３】
他の実施形態によると、端末登録システム２００は、前記見つかったオーナー端末２２０が前記小型基地局に含まれない場合、メンバーデータベース２５０を検索して臨時オーナー端末（図示せず）を探し、前記見つかった臨時オーナー端末に対して、端末２１０のＣＳＧメンバーとしての登録を承諾するかどうかの決定をリクエストする。前記臨時オーナー端末が、端末２１０のＣＳＧメンバーとしての登録を承諾した場合、端末登録システム２００は、当該端末２１０を臨時ＣＳＧメンバーとして登録する。
【００２４】
図３は、本発明の一実施形態による端末登録システムの構成を示すブロック図である。
【００２５】
図３に示すように、端末登録システム３００は、確認部３１０、検索部３２０、リクエスト部３３０、登録部３４０、メンバーデータベース３５０、臨時メンバーデータベース３６０、決定部３７０、および送信部３８０を、含んでいてもよい。
【００２６】
確認部３１０は、端末２１０から受信された小型基地局への登録リクエストに応じて、当該端末２１０がＣＳＧメンバーであるか否かを確認する。このために、確認部３１０は、メンバーデータベース３５０を参照して、端末２１０がメンバーリストに含まれているか否かを確認する。
【００２７】
メンバーデータベース３５０は、小型基地局に登録されたメンバーリストを格納している。前記メンバーリストは、ＣＳＧメンバーに含まれた端末のリストである。したがって、確認部３１０は、端末２１０が前記メンバーリストに含まれない場合、当該端末２１０がＣＳＧメンバーでないと確認する。
【００２８】
また、確認部３１０は、臨時メンバーデータベース３６０を参照して、端末２１０が臨時メンバーリストに含まれているか否かを確認する。
【００２９】
臨時メンバーデータベース３６０は、小型基地局に登録された臨時メンバーリストを格納している。前記臨時メンバーリストは、ＣＳＧ正式メンバーとしては登録されていないが必要に応じて一時的に臨時ＣＳＧメンバーに含まれる端末のリストである。したがって、確認部３１０は、端末２１０が前記臨時メンバーリストに含まれていない場合、端末２１０がＣＳＧメンバーではないと確認する。
【００３０】
検索部３２０は、前記確認の結果として端末２１０がＣＳＧメンバーではないと確認された場合には、前記小型基地局のオーナー端末２２０を捜す。ここで、検索部３２０は、小型基地局を管理するＨＬＲまたはＨＳＳを通じてオーナーデータベースを検索する。
【００３１】
リクエスト部３３０は、見つかったオーナー端末２２０に対して、当該端末２１０のＣＳＧメンバーとしての登録を承認することをリクエストする。ここで、リクエスト部３３０は、見つかったオーナー端末２２０へ端末２１０に関する情報を送信し、当該オーナー端末２２０から、前記送信された情報に基づいてなされた当該端末２１０のＣＳＧメンバーとしての登録の承認を、確認する。
【００３２】
例えば、端末２１０に関する情報は、登録リクエスト回数、識別番号、及び位置情報のうち、いずれか１つを含んでもよい。オーナー端末２２０は、前記登録リクエスト回数、前記識別番号、及び位置情報のいずれか１つに基づいて、前記端末２１０のＣＳＧメンバーとしての登録を承認するか否かを決定してもよい。前記登録リクエスト回数は、小型基地局への登録がリクエストされた回数であり、前記識別番号は端末２１０の電話番号であり、前記位置情報は端末２１０の現在位置についての情報となる。
【００３３】
例えば、オーナー端末２２０は、前記登録リクエスト回数が３回以上である場合、及び、前記端末２１０が小型基地局に近接していることを前記位置情報が示す場合に、端末２１０を臨時ＣＳＧメンバーとして承認する。若しくは、オーナー端末２２０は、前記登録リクエスト回数がゼロである場合、及び、前記端末２１０が前記小型基地局から一定距離以上離隔している場合に、当該端末２１０の臨時ＣＳＧメンバーとしての登録の承認を拒絶してもよい。次に、オーナー端末２２０は、端末２１０を臨時ＣＳＧメンバーとして登録するか否かを決定した後に、決定の結果を端末登録システム３００に送信してもよい。
【００３４】
オーナー端末２２０が端末２１０のＣＳＧメンバー登録を承認した場合、登録部３４０は、当該端末２１０を臨時ＣＳＧメンバーとして登録する。すなわち、登録部３４０は、当該端末２１０を、臨時メンバーデータベース３６０に登録する。送信部３８０は、当該端末２１０に、当該端末２１０が臨時ＣＳＧメンバーとして登録されたことを通知する。
【００３５】
実施形態によれば、決定部３７０は、端末２１０についての有効時間及び優先順位を決定する。前記有効時間は、端末２１０が臨時ＣＳＧメンバーとして登録される時間であり、前記優先順位に応じて決定されてもよい。前記優先順位は、臨時ＣＳＧメンバーのレベルであり、登録リクエスト回数に応じて決定されてもよい。したがって、決定部３７０は、当該端末２１０に関連する登録リクエスト回数に基づいて前記優先順位を決定し、決定された優先順位に応じて前記有効時間を決定する。
【００３６】
臨時メンバーデータベース３６０は、前記決定された有効時間及び優先順位を端末２１０に関連して格納してもよい。
【００３７】
図４は、本発明の一実施形態による端末登録システムに含まれた臨時メンバーデータベースの一例を示す図である。
【００３８】
図４に示すように、臨時メンバーデータベース３６０は、臨時ＣＳＧメンバー（０１０−１２３−４５６７）、登録リクエスト回数（５）、優先順位（２）、及び有効時間（４時間）を、格納する。臨時メンバーデータベース３６０は、臨時ＣＳＧメンバーを識別するために、臨時ＣＳＧメンバーの電話番号を格納する。前記登録リクエスト回数は、端末登録システム３００にＣＳＧ臨時メンバーとしての登録がリクエストされた回数であり、前記優先順位は臨時ＣＳＧメンバーのレベルであり、前記有効時間は前記優先順位に応じて端末２１０に割り当てられた満了時間である。したがって、端末２１０は、有効時間の間にのみ臨時ＣＳＧメンバーとして小型基地局で特化されたサービスを用いることができる。
【００３９】
例えば、決定部３７０は、前記登録リクエスト回数が４回以上である場合、優先順位を「２」に決定し、これによって有効時間を「４」時間に決定する。前記登録リクエスト回数が３回以上である場合、決定部３７０は、優先順位を「３」に決定し、これによって有効時間を「３」時間に決定する。前記登録リクエスト回数が１回以上である場合、決定部３７０は、優先順位を「４」に決定し、これによって有効時間を「２」時間に決定する。
【００４０】
送信部３８０は、端末２１０に、当該端末２１０が臨時ＣＳＧメンバーとして登録されたことを通知し、かつ、決定された有効時間及び優先順位を送信する。すなわち、送信部３８０は、前記有効時間及び前記優先順位を含む登録完了メッセージを、端末２１０へ送信する。オーナー端末２２０が端末２１０のＣＳＧメンバーとしての登録を拒絶した場合、送信部３８０は、端末２１０へ登録拒絶メッセージを送信する。
【００４１】
他の実施形態によると、検索部３２０は、見つかったオーナー端末２２０が前記小型基地局に含まれていない場合、メンバーデータベース３５０を検索して、臨時オーナー端末を捜す。前記臨時オーナー端末は、前記メンバーリスト中で最も高いレベル有する端末であっても良く、オーナー端末２２０からの代行権限が与えられた端末であってもよい。これに応じて、リクエスト部３３０は、見つかった臨時オーナー端末に対して、端末２１０のＣＳＧメンバーとしての登録を承諾するか否かを決定することをリクエストする。登録部３４０は、前記臨時オーナー端末が端末２１０のＣＳＧメンバーとしての登録を承認した場合、当該端末２１０を、臨時ＣＳＧメンバーとして登録する。すなわち、前記臨時オーナー端末は、オーナー端末２２０が小型基地局の外に位置する場合、オーナー端末２２０に代わって臨時ＣＳＧメンバーを登録することができる。
【００４２】
図５は、本発明の一実施形態による端末登録方法を示すフローチャートである。
【００４３】
前記端末登録方法は、本発明の端末登録システム３００によって実現され得る。従って、当該端末登録方法は、図２，図３及び図５を参照して説明される。
【００４４】
ステップ５１０において、端末２１０は、端末登録システム３００に対して小型基地局の登録をリクエストする。すなわち、たとえ端末２１０が現在の小型基地局に属しないとしても、当該端末２１０は、当該小型基地局にアクセスして、特別な移動通信システムのサービスを利用するため、端末登録システム３００に対して臨時ＣＳＧメンバーとしての登録をリクエストしてもよい。
【００４５】
ステップ５２０において、端末登録システム３００は、前記登録リクエストした端末２１０がＣＳＧメンバーであるか否かを確認する。上記操作のために、端末登録システム３００は、メンバーデータベース３５０を参照することにより、端末２１０がメンバーリストに含まれるか否かを確認する。
【００４６】
当該端末２１０がメンバーリストに含まれていない場合、ステップ５３０において、端末登録システム３００は、臨時メンバーデータベース３６０を参照することにより、端末２１０が臨時メンバーリストに含まれるか否かを確認する。
【００４７】
当該端末２１０がＣＳＧメンバーではない場合、当該端末２１０は、ステップ５４０において、前記小型基地局のオーナー端末２２０を捜す。ここで、端末登録システム３００は、ＨＬＲ／ＨＳＳ２３０を通じてオーナーデータベースからオーナー端末２２０を捜す。
【００４８】
ステップ５５０において、端末登録システム３００は、見つかったオーナー端末２２０に対して、端末２１０のＣＳＧメンバー登録を承認するか否かの決定をリクエストするとともに、オーナー端末２２０へ、当該端末２１０に関する情報を送信する。端末２１０に関する情報は、登録リクエスト回数、識別番号、及び位置情報のうち、いずれか１つを含んでいてもよい。
【００４９】
ステップ５６０において、オーナー端末２２０は、前記送信された情報に基づいて、端末２１０のＣＳＧメンバーとしての登録を承認するか否かを決定してもよい。例えば、オーナー端末２２０は、前記登録リクエスト回数が３回以上である場合，及び、当該端末２１０が小型基地局に近接していることを前記位置情報が示している場合に、端末２１０を臨時ＣＳＧメンバーとして承認する。若しくは、オーナー端末２２０は、前記登録リクエスト回数がゼロである場合、及び、当該端末２１０が前記小型基地局から一定距離以上離隔していることを前記位置情報が示している場合、当該端末２１０の臨時ＣＳＧメンバーとしての承認を拒絶してもよい。その後、オーナー端末２２０は、当該端末２１０を臨時ＣＳＧメンバーとして登録するか否かを決定した後、その決定結果を端末登録システム３００へ送信してもよい。
【００５０】
ステップ５７０において、端末登録システム３００は、オーナー端末２２０が端末２１０のＣＳＧメンバー登録を承認した場合、当該端末２１０を臨時ＣＳＧメンバーとして登録する。すなわち、端末登録システム３００は、端末２１０を臨時メンバーデータベース３６０に登録し、端末２１０に対して、当該端末２１０が臨時ＣＳＧメンバーとして登録されたことを通知する登録完了メッセージを送信する。
【００５１】
ステップ５８０において、端末２１０は、端末登録システム３００からの登録完了メッセージを受信する。これによって、端末２１０は、小型基地局によって提供される特別なサービスを利用することができる。
【００５２】
しかし、オーナー端末２２０が端末２１０のＣＳＧメンバーとしての登録を拒絶した場合、端末登録システム３００は、端末２１０に登録拒絶メッセージを送信してもよい。
【００５３】
実施形態によると、端末登録システム３００は、端末２１０に関連する登録リクエスト回数に基づいて前記優先順位を決定し、決定された優先順位に基づいて前記有効時間を決定する当該端末２１０についての有効時間及び優先順位を決定し、決定された有効時間及び優先順位を当該端末２１０に関連して臨時メンバーデータベース３６０に格納しても良い。この場合、端末登録システム３００は、決定された有効時間及び優先順位を端末２１０へ送信してもよい。
【００５４】
他の実施形態によると、端末登録システム３００は、見つかったオーナー端末２２０が前記小型基地局に含まれない場合、メンバーデータベース３５０から臨時オーナー端末を探し、見つかった臨時オーナー端末に対して端末２１０のＣＳＧメンバー登録を承認するか否かの決定をリクエストしても良い。前記臨時オーナー端末が当該端末２１０のＣＳＧメンバー登録を承認した場合、端末登録システム３００は、当該端末２１０を臨時ＣＳＧメンバーとして登録する。
【００５５】
本発明の上述した例示的な実施形態は、コンピュータによって様々な処理を実行することができるプログラム命令の形態で実現され、不揮発なコンピュータ読取可能記録媒体に記録されてもよい。媒体は、プログラム命令、データファイル、データ構造などのうちの１つまたはその組合せを含んでもよい。不揮発なコンピュータ読取可能記録媒体の例は、ハードディスク、フロッピー（登録商標）ディスク及び磁気テープのような磁気媒体、ＣＤ−ＲＯＭ、ＤＶＤのような光記録媒体、フロプティカルディスクのような光磁気媒体、及びリードオンリーメモリ（ＲＯＭ）、ランダムアクセスメモリ（ＲＡＭ）、フラッシュメモリなどのようなプログラム命令を保存して実行する為に特別に構成されたハードウェア装置を、含む。プログラム命令の例は、コンパイラによって生成されるような機械語コード（ｍａｃｈｉｎｅ  ｃｏｄｅ），及び、インタプリタなどを用いてコンピュータによって実行され得る高級言語コード（ｈｉｇｈｅｒ  ｌｅｖｅｌ  ｃｏｄｅ）を格納したファイルを、含む。上述したハードウェア装置は、本発明の上述した例示的実施形態の動作を実行するために、１つ以上のソフトウェアモジュールとして動作する様構成されてもよいし、そうでなくても良い。
【００５６】
本発明の少数の実施形態が記述されたが、本発明は、記述された実施形態に限定されない。そうではなく、本発明が属する分野における通常の知識を有する者であれば、特許請求の範囲及びその均等物によってその範囲が確定される発明の原理及び思想から離れることなく、これらの実施形態に対して変更を加えても良いことを、理解できるであろう。
【符号の説明】
【００５７】
２００      端末登録システム
２１０      端末
２２０      オーナー端末
２３０      ＨＬＲ／ＨＳＳ
２４０      オーナーデータベース
２５０      メンバーデータベース
２６０      臨時メンバーデータベース
【図１】
2013500670.tif 000003
【図２】
2013500670.tif 000004
【図３】
2013500670.tif 000005
【図４】
2013500670.tif 000006
【図５】
2013500670.tif 000007
【国際調査報告】
2013500670.tif 000008
2013500670.tif 000009
2013500670.tif 000010
2013500670.tif 000011